(57)【要約】【課題】ユーザに係る個人情報を記憶管理するとともに、ユーザからの要求に応じて記憶している個人情報を提供できるようにする。【解決手段】ネットワーク１０３を介して入力された携帯端末１０２を使用するユーザに係る個人情報をサーバコンピュータ１０１の個人情報記憶部に記憶し、携帯端末１０２からの要求に応じて、個人情報記憶部に記憶されているユーザの個人情報をネットワーク１０３を介して提供して携帯端末１０２が備える表示装置に表示する。【選択図】  図１
2005018609.tif 000002
【特許請求の範囲】
【請求項１】
個人情報を記憶して管理する個人情報管理装置と、携帯端末とがネットワークを介して通信可能に接続される個人情報管理システムであって、
上記携帯端末を使用するユーザに係る任意の識別情報、パスワード、及び暗証番号の少なくとも１つを含む上記個人情報を入力するための入力手段と、
上記入力手段より入力された上記個人情報を記憶する個人情報記憶手段と、
上記携帯端末からの要求に応じて、上記個人情報記憶手段に記憶されている上記ユーザの個人情報を提供する個人情報提供手段と、
上記個人情報提供手段より提供された個人情報を表示する表示手段とを備えることを特徴とする個人情報管理システム。
【請求項２】
上記個人情報記憶手段に記憶されている個人情報に対する新たな個人情報が上記入力手段より入力されたときには、上記個人情報記憶手段に記憶されている個人情報を上記新たな個人情報に更新して記憶することを特徴とする請求項１記載の個人情報管理システム。
【請求項３】
上記入力手段にて入力する際の上記個人情報の表示形式と、上記表示手段にて表示する際の上記個人情報の表示形式とが同じ表示形式であることを特徴とする請求項１又は２に記載の個人情報管理システム。
【請求項４】
個人情報を記憶し管理するための個人情報管理装置であって、
入力される、上記個人情報の提供を受けるユーザに係る任意の識別情報、パスワード、及び暗証番号の少なくとも１つを含む上記個人情報を記憶する個人情報記憶手段と、
上記ユーザ側からネットワークを介して入力された要求に応じて、当該ユーザの個人情報を上記個人情報記憶手段から読み出し、当該ネットワークを介して上記ユーザ側に提供する個人情報提供手段とを備えることを特徴とする個人情報管理装置。
【請求項５】
個人情報を記憶して管理するための個人情報管理方法であって、
上記個人情報の提供を受けるユーザに係る任意の識別情報、パスワード、及び暗証番号の少なくとも１つを含む上記個人情報を入力するための入力ステップと、
上記入力された個人情報を記憶媒体に記憶する記憶ステップと、
上記ユーザ側からネットワークを介して入力された要求に応じて、上記記憶媒体に記憶されている当該ユーザの個人情報を当該ネットワークを介して上記ユーザ側に提供する情報提供ステップと、
上記提供された個人情報を表示装置に表示する表示ステップとを有することを特徴とする個人情報管理方法。
【請求項６】
個人情報の提供を受けるユーザに係る任意の識別情報、パスワード、及び暗証番号の少なくとも１つを含む上記個人情報を入力するための入力手段と、
上記入力手段より入力された上記個人情報を記憶する個人情報記憶手段と、
上記ユーザ側から入力された要求に応じて、上記個人情報記憶手段に記憶されている上記ユーザの個人情報を提供する個人情報提供手段と、
上記個人情報提供手段により提供された個人情報を表示装置に表示させる表示制御手段としてコンピュータを機能させるためのプログラム。
【請求項７】
請求項６記載のプログラムを記録したことを特徴とするコンピュータ読み取り可能な記録媒体。
【発明の詳細な説明】
【０００１】
【発明の属する技術分野】
本発明は、個人情報管理システム、個人情報管理装置、個人情報管理方法、記録媒体およびプログラムに関する。
【０００２】
【従来の技術】
近年、プライバシー保護等の観点から個人情報の取り扱いについて各業者が自己防衛を図る中、固有な識別番号（ＩＤ）とパスワード（暗証番号等も含む。）により本人確認を行う機会が増加してきている。
【０００３】
【発明が解決しようとする課題】
しかしながら、各個人が覚えておくべきＩＤ、パスワード、暗証番号等の個人情報は、数字や、英字と数字とが混ざった文字列（数列）であるとともに、個人情報の種類（数）も増大しており、各個人がすべての個人情報を自ら記憶しておくことは非常に困難である。また、仮に、ＩＤ、パスワード、暗証番号等の個人情報を忘れてしまったときには、その情報を得るための手続き等が新たに発生して多大な労力を要する。
【０００４】
本発明は、このような事情に鑑みてなされたものであり、ＩＤ、パスワード、暗証番号等の個人情報を記憶管理するとともに、ユーザからの要求に応じて記憶している個人情報を提供できるようにすることを目的とする。
【０００５】
【課題を解決するための手段】
本発明の個人情報管理システムは、個人情報を記憶して管理する個人情報管理装置と、携帯端末とがネットワークを介して通信可能に接続される個人情報管理システムであって、携帯端末を使用するユーザに係る任意の識別情報、パスワード、及び暗証番号の少なくとも１つを含む個人情報を入力するための入力手段と、入力手段より入力された個人情報を記憶する個人情報記憶手段と、携帯端末からの要求に応じて、個人情報記憶手段に記憶されているユーザの個人情報を提供する個人情報提供手段と、個人情報提供手段より提供された個人情報を表示する表示手段とを備えることを特徴とする。
【０００６】
本発明の個人情報管理装置は、個人情報を記憶し管理するための個人情報管理装置であって、入力される、個人情報の提供を受けるユーザに係る任意の識別情報、パスワード、及び暗証番号の少なくとも１つを含む個人情報を記憶する個人情報記憶手段と、ユーザ側からネットワークを介して入力された要求に応じて、当該ユーザの個人情報を個人情報記憶手段から読み出し、当該ネットワークを介してユーザ側に提供する個人情報提供手段とを備えることを特徴とする。
【０００７】
本発明の個人情報管理方法は、個人情報を記憶して管理するための個人情報管理方法であって、個人情報の提供を受けるユーザに係る任意の識別情報、パスワード、及び暗証番号の少なくとも１つを含む個人情報を入力するための入力ステップと、入力された個人情報を記憶媒体に記憶する記憶ステップと、ユーザ側からネットワークを介して入力された要求に応じて、記憶媒体に記憶されている当該ユーザの個人情報を当該ネットワークを介してユーザ側に提供する情報提供ステップと、提供された個人情報を表示装置に表示する表示ステップとを有することを特徴とする。
【０００８】
本発明のプログラムは、個人情報の提供を受けるユーザに係る任意の識別情報、パスワード、及び暗証番号の少なくとも１つを含む個人情報を入力するための入力手段と、入力手段より入力された個人情報を記憶する個人情報記憶手段と、ユーザ側から入力された要求に応じて、個人情報記憶手段に記憶されているユーザの個人情報を提供する個人情報提供手段と、個人情報提供手段により提供された個人情報を表示装置に表示させる表示制御手段としてコンピュータを機能させることを特徴とする。
また、本発明のコンピュータ読み取り可能な記録媒体は、上述したプログラムを記録したことを特徴とする。
【０００９】
【発明の実施の形態】
以下、本発明の実施形態を図面に基づいて説明する。
図１は、本発明の実施形態による個人情報管理システムの一構成例を示すブロック図である。
【００１０】
図１において、１０１は個人情報を管理するためのサーバコンピュータである。サーバコンピュータ１０１は、携帯端末１０２から送信された個人情報を登録し記憶するとともに、携帯端末１０２からの要求に応じて記憶している個人情報を提供する。携帯端末１０２は、例えば携帯電話やＰＤＡ（Ｐｅｒｓｏｎａｌ  Ｄｉｇｉｔａｌ  Ａｓｓｉｓｔａｎｔｓ）等のユーザ端末である。携帯端末１０２は、ユーザが個人情報を上記サーバコンピュータ１０１に登録したり、上記サーバコンピュータ１０１から提供された個人情報を表示したりするものである。
【００１１】
上記サーバコンピュータ１０１と携帯端末１０２とは、それぞれが備える後述するネットワークインタフェースにより、インターネット等のネットワーク１０３を介して互いに通信可能なように接続されている。なお、上記サーバコンピュータ１０１と携帯端末１０２とは、通信回線１０４を介して接続するようにしても良い。
【００１２】
図２は、本実施形態におけるサーバコンピュータ１０１のハードウェア構成の一例を示すブロック図である。
図２において、２０１はＣＰＵであり、データの送受信、データの結合、データの照合などを行うため、バス２０７を介して接続された各種構成要素を制御するものである。このバス２０７を介して、バス２０７に接続された各種構成要素（機器）間相互のアドレス信号、制御信号及び各種データの転送が行われる。
【００１３】
２０２は、ＲＯＭ（読み出し専用メモリ）である。このＲＯＭ２０２には、予めＣＰＵ２０１の制御手順（コンピュータプログラム）を記憶させておき、この制御手順をＣＰＵ２０１が実行することにより、データの転送、データの結合、データの照合等の処理を実行することが可能となる。２０３はＲＡＭであり、データの送受信、結合、照合等のためのワークメモリ、各種構成要素の制御のための一時記憶として用いられる。
本実施形態では、上記ＣＰＵ２０１、ＲＯＭ２０２、ＲＡＭ２０３等により、本発明の個人情報記憶手段、個人情報提供手段等の機能が実現される。
【００１４】
２０４は、例えばハードディスク記憶装置などの保存用外部記憶装置であり、個人情報記憶部２０５を有している。
個人情報記憶部２０５は、携帯端末１０２からネットワーク１０３（通信回線１０４）を介して送信された、ＩＤ（個人の識別情報や識別番号）、パスワード及び暗証番号等を含む個人情報を登録し記憶するものである。また、記憶した個人情報は、携帯端末１０２からの要求に応じてネットワーク１０３（通信回線１０４）を介して携帯端末１０２に提供される。
【００１５】
２０６は、サーバコンピュータ１０１と、ネットワーク１０３及び通信回線１０４とを接続するためのネットワークインタフェースである。
【００１６】
図３は、本実施形態における携帯端末１０２のハードウェア構成の一例を示すブロック図である。
図３において、３０１はＣＰＵである。ＣＰＵ３０１は、データの入出力、データの送受信等を行うため、バス３０８を介して接続された各種構成要素を制御するものである。このバス３０８を介して、バス３０８に接続された各種構成要素（機器）間相互のアドレス信号、制御信号及び各種データの転送が行われる。
【００１７】
３０２は、ＲＯＭ（読み出し専用メモリ）である。このＲＯＭ３０２には、予めＣＰＵ３０１の制御手順（コンピュータプログラム）を記憶させておき、この制御手順をＣＰＵ３０１が実行することにより、データの入出力、データの送受信等の処理を実行することが可能となる。３０３はＲＡＭであり、データの入出力、送受信のためのワークメモリ、各種構成要素の制御のための一時記憶として用いられる。
【００１８】
３０４は、例えば不揮発性メモリなどの記憶装置である。すなわち、記憶装置３０４は、データの書き込み（書き換え）が可能であるとともに不揮発性を有する記憶装置である。３０５は、携帯端末１０２とネットワーク１０３（通信回線１０４）とを接続するためのネットワークインタフェースである。
【００１９】
３０６は入力装置である。入力装置３０６は、例えば携帯端末１０２が携帯電話であれば、ダイヤルボタン、上下左右それぞれのカーソルボタン、決定ボタン等である。また、例えば携帯端末１０２がＰＤＡであれば、入力キー、カーソルキー等である。３０７は、例えば液晶表示装置のような表示装置である。
【００２０】
次に、動作について説明する。
図４は、本実施形態における個人情報管理システムの動作を示すフローチャートである。
まず、個人情報管理システムを利用するユーザが、携帯端末１０２を使用してサーバコンピュータ１０１にアクセスする。このとき、サーバコンピュータ１０１は、当該携帯端末（以下、「アクセスした携帯端末」と呼ぶ。）１０２のユーザについてのユーザ確認を行う（Ｓ１）。
【００２１】
上記ユーザ確認は、例えばサーバコンピュータ１０１が、アクセスした携帯端末１０２の入力画面等を介してユーザ確認を行うための情報（例えば、ユーザ名、パスワード等）の入力をユーザに要求し、当該要求に対する応答として入力された情報が正しいか否かを確認することにより行う。
上記ユーザ確認の結果、正当なユーザである場合にはステップＳ２に進み、そうでない場合には処理を終了する。
【００２２】
次に、ステップＳ２でサーバコンピュータ１０１は、図５（Ａ）に示すような当該システムの初期表示画面（トップページ表示画面）５０１をアクセスした携帯端末１０２の表示装置３０７に表示するためのデータを送信する。なお、以下の説明では便宜上、サーバコンピュータ１０１がアクセスした携帯端末１０２の表示装置３０７に表示するためのデータを送信する動作を、「携帯端末１０２の表示装置３０７に表示する」と表記する。
【００２３】
図５（Ａ）に示すようにトップページ表示画面５０１では、選択実行する処理等を選択するための複数の項目が表示される。ユーザは、携帯端末１０２の入力装置３０６等を使用して項目を選択し決定する。トップページ表示画面５０１にて表示される項目には、「登録情報を見る」（確認）、「新規情報登録」（登録）、「登録情報の訂正」（訂正）、「ご利用ガイド」、及び「お問い合わせ」等がある。
【００２４】
上記ステップＳ２において選択された項目が「新規情報登録」である場合には、サーバコンピュータ１０１は新規情報登録処理（Ｓ３）を実行する。また、サーバコンピュータ１０１は、選択された項目が「登録情報の訂正」である場合には登録情報訂正処理（Ｓ４）を実行し、「登録情報を見る」である場合には登録情報表示処理（Ｓ５）を実行する。
【００２５】
同様に、サーバコンピュータ１０１は、その他の項目（例えば「ご利用ガイド」及び「お問い合わせ」の項目等）が選択された場合には、ステップＳ６にて選択された項目に応じた処理（例えば利用ガイドの情報や問い合わせ先に係る情報をアクセスした携帯端末１０２に対して提供する処理）を実行する。
そして、ステップＳ３〜Ｓ６に示す各々の処理を実行した後、処理を終了する。
【００２６】
以下、新規情報登録処理、登録情報訂正処理、登録情報表示処理について説明する。
（新規情報登録処理）
上記ステップＳ３において実行する新規情報登録処理は、新規の個人情報を入力・登録するための処理である。具体的には、サーバコンピュータ１０１は、図５（Ｂ）に示すような複数の登録情報項目からなる登録情報表示画面５１１を携帯端末１０２の表示装置３０７に表示する。なお、図５（Ｂ）に示す登録情報表示画面５１１におけるすべての登録情報項目を表示装置３０７に同時に表示することは一般的に困難である。そこで本実施形態においては、登録情報表示画面５１１の一部領域５１２を表示装置３０７に表示させ、他の登録情報項目は入力装置３０６を用いてスクロールが指示された際に順次スクロール表示するようにする。
【００２７】
ユーザは、携帯端末１０２が備える入力装置３０６を使用して、登録情報表示画面にて表示された登録情報項目の中から新規の個人情報を入力する登録情報項目を選択するとともに、個人情報を入力する。入力された個人情報は、入力後の図示しない確認画面にて「ＯＫ」ボタンをクリックすることで携帯端末１０２からサーバコンピュータ１０１に送信され、サーバコンピュータ１０１の個人情報記憶部２０５にユーザ毎に記憶されて登録される。
【００２８】
ここで、１つの登録情報項目に対して複数の入力項目がある場合には、入力装置３０６でのクリック操作等により当該登録情報項目が選択されたときに、その登録情報項目に応じた入力画面が表示される。
【００２９】
（登録情報訂正処理）
上記ステップＳ４において実行する登録情報訂正処理は、既に登録されている個人情報を変更し更新するための処理である。まず、サーバコンピュータ１０１は、個人情報記憶部２０５に記憶されているユーザの個人情報を読み出し、その個人情報を含む登録情報表示画面５１１を、新規情報登録処理と同様にして携帯端末１０２の表示装置３０７に表示する。
【００３０】
ユーザは、携帯端末１０２が備える入力装置３０６を使用して、個人情報を変更する登録情報項目を選択して新たな個人情報を入力する。入力された個人情報は、入力後の図示しない確認画面にて「ＯＫ」ボタンをクリックすることで携帯端末１０２からサーバコンピュータ１０１に送信される。サーバコンピュータ１０１は、個人情報記憶部２０５に記憶されている個人情報を受信した個人情報に更新し記憶する。
【００３１】
なお、上述した新規情報登録処理と同様に、１つの登録情報項目に対して複数の入力項目がある場合には、入力装置３０６でのクリック操作等により当該登録情報項目が選択されたときに、その登録情報項目に応じた入力画面が表示される。
【００３２】
（登録情報表示処理）
上記ステップＳ５において実行する登録情報表示処理は、登録されている個人情報を確認可能なように表示するための処理である。まず、サーバコンピュータ１０１は、個人情報記憶部２０５に記憶されているユーザの個人情報を読み出す。さらに、サーバコンピュータ１０１は、読み出した個人情報が含まれた登録情報表示画面５１１を携帯端末１０２の表示装置３０７に表示する。
【００３３】
ここで、個人情報記憶部２０５に記憶される個人情報は、基本的には登録情報表示画面５１１と同様の形（表示形式）で保存されるため、表示する場合には登録情報表示画面５１１に個人情報が入力されたもので表示することができる。また、１つの登録情報項目に対して複数の入力項目がある場合には、ユーザは、携帯端末１０２が備える入力装置３０６を使用して登録情報項目を適宜選択することにより、当該登録情報項目に係る詳細な個人情報を表示させるようにすることも可能である。
【００３４】
なお、上記図５（Ｂ）に示した登録情報表示画面５１１は一例であり、登録情報項目の一部を示している。また、登録情報項目は、ユーザが任意に作成し増加できるようにしても良い。
【００３５】
次に、本実施形態における個人情報の入力項目について説明する。
図６は、個人情報の入力項目を説明するための図である。なお、図６に示すものは一例であり、本発明はこれに限定されるものではない。
【００３６】
図６に示すように、個人情報の登録情報項目としては、氏名、ふりがな、住所、自宅電話番号、年齢、勤め先、役職、勤め先電話番号がある。また、郵便局、取引銀行、証券会社、保有株式・債券、保険契約、クレジットカード及び不動産に係るものがある。さらには、保険証番号、運転免許証番号、自家用車ナンバー、…等がある。
【００３７】
例えば、１つの登録情報項目である郵便局や取引銀行については、それぞれ金融機関及び店名、口座番号、担当者、電話番号、暗証番号等の複数の入力項目がある。また、例えば、１つの登録情報項目である保険契約については、保険会社名、店名、担当者、連絡先、証券番号、契約日、受取人等の入力項目があり、クレジットカードについては、カード会社名、提携カード会社名、カード番号、暗証番号、有効期限、連絡先等の入力項目がある。
【００３８】
なお、図６に示す郵便局、取引銀行、証券会社等のように１つの登録情報項目に対して、複数の情報（例えば、郵便局１、郵便局２、取引銀行１、取引銀行２、取引銀行３等）を設定できる登録情報項目もある。
【００３９】
以上、説明したように本実施形態によれば、入力されたＩＤ、パスワード、暗証番号等を含む個人情報は、携帯端末１０２からサーバコンピュータ１０１に送信され、サーバコンピュータ１０１の個人情報記憶部２０５に記憶される。また、サーバコンピュータ１０１は、携帯端末１０２からの要求に応じて個人情報記憶部２０５に記憶している個人情報を携帯端末１０２に提供し、表示装置３０７にて表示させる。
【００４０】
これにより、個人情報を預けるようにしてサーバコンピュータ１０１に記憶させておき、ユーザは、携帯端末１０２を介してサーバコンピュータ１０１から個人情報の提供を受けていつでも個人情報を確認することができる。したがって、個人情報を自ら記憶していなくとも、個人情報を容易に確認することができるとともに、ユーザにとってはさまざまな安心を得ることができる。
【００４１】
（本発明の他の実施形態）
なお、以上に説明した本実施形態の個人情報管理システムを構成する各装置（サーバコンピュータ及び携帯端末）は、コンピュータのＣＰＵあるいはＭＰＵ、ＲＡＭ、ＲＯＭなどで構成されるものであり、ＲＡＭやＲＯＭに記憶されたプログラムが動作することによって実現でき、上記プログラムは本発明の実施形態に含まれる。
【００４２】
また、コンピュータが上記機能を果たすように動作させるプログラムを、例えばＣＤ−ＲＯＭのような記録媒体に記録し、コンピュータに読み込ませることによって実現できるものであり、上記プログラムを記録した記録媒体は本発明の実施形態に含まれる。上記プログラムを記録する記録媒体としては、ＣＤ−ＲＯＭ以外に、フレキシブルディスク、ハードディスク、磁気テープ、光磁気ディスク、不揮発性メモリカード等を用いることができる。
【００４３】
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。また、本発明をネットワーク環境で利用するべく、全部あるいは一部のプログラムが他のコンピュータで実行されるようになっていても良い。
【００４４】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【００４５】
【発明の効果】
以上説明したように本発明によれば、入力されるＩＤ、パスワード、暗証番号等の個人情報を記録媒体に記憶して管理するとともに、個人情報の提供を受けるユーザ側からの要求に応じて記憶している個人情報を提供し表示させることができる。
【図面の簡単な説明】
【図１】本実施形態における個人情報管理システムの構成例を示すブロック図である。
【図２】サーバコンピュータのハードウェア構成の一例を示すブロック図である。
【図３】携帯端末のハードウェア構成の一例を示すブロック図である。
【図４】本実施形態における個人情報管理システムの動作を示すフローチャートである。
【図５】携帯端末における表示画面の一例を示す図である。
【図６】個人情報の入力項目の一例を示す図である。
【符号の説明】
１０１  サーバコンピュータ
１０２  携帯端末
１０３  ネットワーク
１０４  通信回線
２０１  ＣＰＵ
２０２  ＲＯＭ
２０３  ＲＡＭ
２０４  外部記憶装置
２０５  個人情報記憶部
２０６  ネットワークインタフェース
２０７  バス
３０１  ＣＰＵ
３０２  ＲＯＭ
３０３  ＲＡＭ
３０４  記憶装置
３０５  ネットワークインタフェース
３０６  入力装置
３０７  表示装置
３０８  バス
【図１】
2005018609.tif 000003
【図２】
2005018609.tif 000004
【図３】
2005018609.tif 000005
【図４】
2005018609.tif 000006
【図５】
2005018609.tif 000007
【図６】
2005018609.tif 000008